(57)【要約】      （修正有）【課題】面倒な製造工程を要することなく作成できる香料含有シートを提供する。【解決手段】香料含有シート１は、紙からなる基材シート２にレジノイドベンゾイン等からなる香料３を５質量部、硝酸カリウムからなる酸化剤４を１質量部、精製水からなる水２５質量部、同じく図略のエタノールからなるアルコール７０質量部からなる香料酸化剤アルコール溶液を含浸させたものである。使用に際しては、前記香料含有シート１をマッチ、火器等からの炎により無炎燃焼させて使用する。この燃焼熱により含浸された香料が発香する。【選択図】図１
0003197247.tif 000002
【実用新案登録請求の範囲】
【請求項１】
香料３〜１８質量部、酸化剤０．１〜１．５質量部、水１０〜３０質量部、アルコール６０〜８０質量部からなる香料酸化剤アルコール溶液を基材シートに含浸してなることを特徴とする香料含有シート。
【請求項２】
前記酸化剤が硝酸カリウムで、前記アルコールがエタノールであることを特徴とする請求項１記載の香料含有シート。
【請求項３】
前記基材シートが紙であることを特徴とする請求項１または２に記載の香料含有シート。
【請求項４】
前記基材シートの表面に顔料インキで意匠層を形成したことを特徴とする請求項１乃至３の何れか１項に記載の香料含有シート。
【考案の詳細な説明】
【技術分野】
【０００１】
本考案は、薫香などの香りを楽しむことができる香料含有シートに関する。
【背景技術】
【０００２】
従来より、ストレスに対する癒し効果を得る目的として、また、薫香など香りを楽しむために香料と酸化剤を紙などの基材シートに含浸させ、これを無炎燃焼させて発香させる香料含有シート（実用新案文献１）が知られている。
【先行技術文献】
【特許文献】
【０００３】
【特許文献１】実用新案登録第３１６６７４３号公報
【考案の概要】
【考案が解決しようとする課題】
【０００４】
前記香料含有シートは、先ず硝酸カリウムなどの酸化剤水溶液に紙等のシート基材を浸積するか、或いは、酸化剤水溶液を基材に噴霧するなどして酸化剤含有シートを作成し、これを乾燥後、香料や香料アルコール溶液で賦香処理し、最後に再乾燥して作成していた。これは、酸化剤が水溶性で、アルコールには溶解せず、香料は有機溶媒に溶解しやすいために、別々の工程で基材に含浸して乾燥する必要があったためである。
【０００５】
そこで本考案は前記従来のような面倒な工程を要することなく作成できる香料含有シートを提供することを目的とする。
【課題を解決するための手段】
【０００６】
本考案者は前記課題を解決するべく、鋭意研究の結果、前記酸化剤と香料を特定の混合溶媒に溶解させることで一度に酸化剤と香料を基材シートに含浸状態にできることを知見した。
本考案の香料含有シートはかかる知見に基づきなされたもので、請求項１に記載の通り、香料３〜１８質量部、酸化剤０．１〜１．５質量部、水１０〜３０質量部、アルコール６０〜８０質量部からなる香料酸化剤アルコール溶液を基材シートに含浸してなることを特徴とする。
また、請求項２記載の香料含有シートは、前記請求項１記載の香料含有シートにおいて、前記酸化剤が硝酸カリウムで、前記アルコールがエタノールであることを特徴とする。
また、請求項３に記載の香料含有シートは、前記請求項１または２に記載の香料含有シートにおいて、前記基材シートは紙であることを特徴とする。
また、請求項４に記載の香料含有シートは、前記請求項１乃至３の何れか１項に記載の香料含有シートにおいて、前記基材シートの表面に顔料インキで意匠層を形成したことを特徴とする。
尚、本考案の香料含有シートは、香料３〜１８質量部、酸化剤０．１〜１．５質量部、水１０〜３０質量部、アルコール６０〜８０質量部からなる香料酸化剤アルコール溶液を調製する工程と、
前記香料酸化剤アルコール溶液を基材シートに含浸する工程と、
前記香料酸化剤アルコール溶液を含浸させた基材シートを乾燥させる工程により製造することができる。
また、前記香料含有シートの製造方法は、前記酸化剤が硝酸カリウムで、前記アルコールがエタノールであることが好ましい。
また、前記香料含有シートの製造方法は、前記基材シートが紙であることが好ましい。
また、前記香料含有シートの製造方法は、前記基材シートの表面に顔料インキで意匠層を形成する工程を含むこともできる。
【考案の効果】
【０００７】
本考案の香料含有シートは、基材シートに一液の香料酸化剤アルコール溶液を含浸させて得ることができるので、複雑な工程を要することなく、乾燥時間も短く、極めて簡単な方法で得ることができるものである。
【図面の簡単な説明】
【０００８】
【図１】本考案香料含有シートの一実施の形態の説明断面図
【図２】本考案香料含有シートの他の実施の形態の使用状態を示す斜視図
【考案を実施するための形態】
【０００９】
図１は本考案香料含有シートの一実施の形態の説明断面図である。説明のため、模式的に示したものである。図１中の符号１は香料含有シートを示し、符号２で示される紙からなる基材シートに符号３で示されるレジノイドベンゾイン等からなる香料を５質量部、符号４で示される硝酸カリウムからなる酸化剤１質量部、図略の精製水からなる水２５質量部、同じく図略のエタノールからなるアルコール７０質量部からなる香料酸化剤アルコール溶液を含浸させたものである。
使用に際しては、前記香料含有シートをマッチ、火器等からの炎により無炎燃焼させて使用する。この燃焼熱により含浸された香料が発香する。
【００１０】
図１に示す香料含有シートは、次のようにして作成した。
先ず、レジノイドベンゾイン等からなる調合香料５ｇと純度９５％エタノールからなるアルコール７４ｇとの香料エタノール溶液と、食品添加物グレードの硝酸カリウムからなる酸化剤１ｇと精製水からなる水２５ｇとの硝酸カリウム水溶液の各々を調製し、更に香料エタノール溶液を弱く撹拌しながら徐々に硝酸カリウム水溶液を加え均一にした後、室温で２〜３時間静置して香料酸化剤アルコール水溶液を得た。この際、沈殿等が生じた場合は、ろ紙またはろ布等で濾過して使用する。
【００１１】
次に、紙からなる基材シートをステンレス製トレイの中に設置したネット（網）の上に置き、トリガータイプのスプレーディスペンサーを用いて前記基材シート全体に均一に前記香料酸化剤アルコール水溶液を噴霧した。
【００１２】
次いで、前記香料酸化剤アルコール水溶液を噴霧した基材シートをトレイの中のネット（網）の上で、２８〜３０℃で８〜１０時間風乾し、本考案の香料含有シートを得た。
【００１３】
図２は、本考案の香料含有シートの他の実施の形態を示すもので、前記のようにして得られた香料含有シートに酸化チタンからなる顔料インキでアルファベット文字からなる意匠層５を形成したものを示す。図示したものは、無炎燃焼させてシートが黒化した後、その黒色面上に前記顔料インキで形成された意匠層５が白く浮き上がった状態になったところを示している。
【００１４】
以上では本考案の香料含有シートの幾つかの実施の形態を示したが、本考案は前記図示した実施の形態に限定されるものではない。
【００１５】
本考案の香料含有シートにおける、前記香料としては、ベンゾイン、オリバナム、ミルラ等のレジノイド香料等が挙げられ、商品のコンセプトにより適宜選択使用できるが、例えばアロマテラピー等で使用する場合や香りの残存性を持たせる場合はコンクリート系やレジノイド系天然香料、固化結晶性天然香料、或いは、合成香料を用いるのが好ましい。
また、その配合量は香りの揮散性と保香残香性の観点から３〜１８質量部とする必要があるが、５〜８質量部の範囲が好ましい。
【００１６】
また、前記酸化剤としては硝酸カリウム、硝酸ナトリウム等の各種硝酸塩や過塩素酸塩等が挙げられるが、取り扱いの安全性の観点から食品添加剤としも認められている硝酸カリウムが好ましい。
また、その配合量は連続延焼と安全性の観点から０．１〜１．５質量部とする必要あるが、０．５〜１．２質量部の範囲が好ましい。
尚、酸化剤はアルコールには溶解しないのでアルコール水に過飽和の状態で溶解させておくのが好ましい。
【００１７】
また、前記水は蒸留水、精製水、水道水等が使用でき、香料に影響を及ぼす不純物、コストの観点からは精製水の使用が好ましい。
また、その配合量は硝酸カリウムの十分な溶解性の観点から１０〜３０質量部とする必要があるが、１５〜２５質量部の範囲が好ましい。
また、前記アルコールとしてはメチルアルコール、エチルアルコール、プロピルアルコール、ブチルアルコール、アミルアルコール等が挙げられ、製品の安全性と香料の溶解性の観点からエタノールが好ましい。
特に、香料の溶解性の観点から９５％以上の高濃度のアルコールの使用が好ましい。
また、その配合量は香料の種類により溶解度が異なるが生産性と作業性の観点から６０〜８０質量部とする必要があるが、６５〜７５質量部の範囲が好ましい。
【００１８】
本考案の香料含有シートは薫香を目的として使用できることは言うまでもなく、室内のフレグランスオーナメントとして、テーブルの上に置いたり、壁に貼ってルームフレグランスとしても使用できる。
【産業上の利用可能性】
【００１９】
本考案の香料含有シートは薫香を目的として使用したり、室内のフレグランスオーナメントやルームフレグランスとしても使用できて産業上有用である。
【符号の説明】
【００２０】
１  香料含有シート
２  基材シート
３  香料
４  酸化剤
５  意匠層
【図１】
0003197247.tif 000003
【図２】
0003197247.tif 000004